(57)【要約】      （修正有）【課題】ポンチ及びダイスを交換することなく、大きさ又は形状の異なる孔を被加工物にあけることができる穿孔機械器具を提供する。【解決手段】本発明にかかる穿孔機械器具１００は、ポンチ部材２０とダイス部材３０とを互いに嵌合させることで、ポンチ部材２０とダイス部材３０との間に配置された被加工物に孔をあける穿孔機械器具１００であって、ポンチ部材２０は、柱状の外側ポンチ部２３と、外側ポンチ部２３の一方底面から柱状に突出する内側ポンチ部２１と、を備え、内側ポンチ部２１と外側ポンチ部２３との間の凹部にダイス部材３０の一部が嵌合することで、被加工物に孔をあける。【選択図】図１
2020097051.tif 000002
【特許請求の範囲】
【請求項１】
ポンチ部材とダイス部材とを互いに嵌合させることで、前記ポンチ部材と前記ダイス部材との間に配置された被加工物に孔をあける穿孔機械器具であって、
前記ポンチ部材は、柱状に形成された内側ポンチ部と、前記内側ポンチ部を囲う位置に前記内側ポンチ部よりも低く筒状に形成された外側ポンチ部と、を備えた部材であり、
前記ダイス部材は、前記内側ポンチ部と前記外側ポンチ部との間の凹部に一部が挿入可能な筒状部材であり、
前記ダイス部材の一部が前記凹部に挿入された際、前記ダイス部材の側面が前記内側ポンチ部の側面及び前記外側ポンチ部の内側側面と当接した状態で前記ダイス部材と前記ポンチ部材とが嵌合することを特徴とする、
穿孔機械器具。
【請求項２】
請求項１に記載の穿孔機械器具であって、
前記内側ポンチ部を前記ダイス部材の方向に付勢する付勢部材と、
を備え、
前記内側ポンチ部は、前記外側ポンチ部の頂面よりも前記ダイス部材に近い位置である第一押止位置と、前記外側ポンチ部の頂面よりも前記ダイス部材に遠い位置である第二押止位置とに摺動可能であり、
前記内側ポンチ部は、前記付勢部材によって前記ダイス部材の方向に付勢された際、前記第一押止位置又は前記第二押止位置のいずれかの位置で前記外側ポンチ部と係止することを特徴とする、
穿孔機械器具。
【請求項３】
前記内側ポンチ部は、側面に前記外側ポンチ部の表面方向に突出するポンチ高さ調節片を有し、
前記外側ポンチ部は、内側側面に前記ポンチ高さ調節片の一部が挿入され、前記ポンチ高さ調節片が前記ダイス部材に近づく方向及び遠ざかる方向に移動可能なポンチ高さ調整溝を有し、
前記ポンチ高さ調整溝は、前記ポンチ高さ調節片を前記第一押止位置で係止する第一押止側面と、前記ポンチ高さ調節片を前記第二押止位置で係止する第二押止側面と、を有することを特徴とする、
請求項１又は２に記載の穿孔機械器具。
【請求項４】
前記外側ポンチ部は、側面に前記内側ポンチ部の表面方向に突出するポンチ高さ調節片を有し、
前記内側ポンチ部は、外側側面に前記ポンチ高さ調節片の一部が挿入され、前記ポンチ高さ調節片が前記ダイス部材に近づく方向及び遠ざかる方向に移動可能なポンチ高さ調整溝を有し、
前記ポンチ高さ調整溝は、前記ポンチ高さ調節片を前記第一押止位置で係止する第一押止側面と、前記ポンチ高さ調節片を前記第二押止位置で係止する第二押止側面と、を有することを特徴とする、
請求項１又は２に記載の穿孔機械器具。
【請求項５】
前記ポンチ高さ調整溝は、前記ポンチ高さ調節片が頂面方向又は底面方向に移動可能な移動部と、前記移動部の両端部の側面にそれぞれ連通する第一押止部及び第二押止部と、を有し、
前記第一押止側面は、前記第一押止部に位置し、
前記第二押止側面は、前記第二押止部に位置することを特徴とする、
請求項３又は４に記載の穿孔機械器具。
【請求項６】
前記内側ポンチ部の頂面には、凹状に凹んだ頂面凹部を有し、
前記頂面凹部には、ねじ穴を有するねじが設けられていることを特徴とする、
請求項１から５のいずれか１項に記載の穿孔機械器具。
【請求項７】
前記外側ポンチ部の頂面は、前記内側ポンチ部の方向に延出し、
前記外側ポンチ部と前記内側ポンチ部との間隔は、前記ダイス部材側が前記ダイス部材の反対側よりも狭いことを特徴とする、
請求項１から６のいずれか１項に記載の穿孔機械器具。
【請求項８】
前記外側ポンチ部の外側側面は、頂面側が刃先となる切刃として形成されており、
前記外側ポンチ部の内側側面は、頂面側が刃先となる切刃として形成されており、
前記内側ポンチ部の側面は、頂面側が刃先となる切刃として形成されていることを特徴とする、
請求項１から７のいずれか１項に記載の穿孔機械器具。
【請求項９】
前記外側ポンチ部の外周は直径３２ｍｍ以上３４ｍｍ以下の略円形状であり、
前記内側ポンチ部の外周は直径１８ｍｍ以上２０ｍｍ以下の略円形状であり、
前記内側ポンチ部の頂面は、前記外側ポンチ部の頂面よりも１０ｍｍ以上高くなっていることを特徴とする、
請求項１から８のいずれか１項に記載の穿孔機械器具。
【発明の詳細な説明】
【技術分野】
【０００１】
本発明は、穿孔機械器具に関する。
【背景技術】
【０００２】
従来、電気工事等において、リップ溝形鋼等の溝型鋼を含む鋼板又はプラスチック板等の被加工物に穿孔作業を行うための工具として、互いに嵌合する形状を有するダイス及びポンチの間に被加工物を配置して、当該ダイスと当該ポンチとを嵌合することで、当該ダイスと当該ポンチとの間に発生する剪断力を利用して被加工物に孔をあける携帯式パンチャーが知られている。
【０００３】
例えば、特許文献１に記載の携帯式パンチャーは、携帯用ハンドルと、当該携帯用ハンドルで支持される油圧作動機構と、当該油圧作動機構のピストンロッドに取り付けられたポンチと、当該油圧作動機構から前方に延びる支持部材に取り付けられた固定ダイスとを有する携帯式パンチャーであって、当該ポンチの最前端面及びその後方に位置する前端面に第１〜第４の切刃が形成されることを特徴とする。これにより、連続的かつ漸進的な剪断作用によって板材の切口を連続的かつ円滑に進行させ、打抜き時の衝撃を更に分散し、作動装置又は作業員の手指に作用する振動を更に低減し得る携帯式パンチャーを提供することができる。
【先行技術文献】
【特許文献】
【０００４】
【特許文献１】登録実用新案公報第３０１０４３７号
【発明の開示】
【発明が解決しようとする課題】
【０００５】
特許文献１に記載の携帯式パンチャーによれば、被加工物にあける孔の形状及び大きさはポンチと固定ダイスの形状及び大きさによって決定される。このため、被加工物に最初にあけた孔と異なる形状及び大きさの孔を次にあける場合、最初の穿孔作業を行った後にポンチ及びダイスを交換する作業が必要であるという課題がある。
【０００６】
本発明は、上述の課題を鑑みてなされたものであって、ポンチ及びダイスを交換することなく、大きさ又は形状の異なる孔を被加工物にあけることができる穿孔機械器具を提供することを主目的とする。
【課題を解決するための手段】
【０００７】
本発明は、上述の主目的を達成するために、以下の手段を採った。
【０００８】
本発明の穿孔機械器具は、
ポンチ部材とダイス部材とを互いに嵌合させることで、前記ポンチ部材と前記ダイス部材との間に配置された被加工物に孔をあける穿孔機械器具であって、
前記ポンチ部材は、柱状に形成された内側ポンチ部と、前記内側ポンチ部を囲う位置に前記内側ポンチ部よりも低く筒状に形成された外側ポンチ部と、を備えた部材であり、
前記ダイス部材は、前記内側ポンチ部と前記外側ポンチ部との間の凹部に一部が挿入可能な筒状部材であり、
前記ダイス部材の一部が前記凹部に挿入された際、前記ダイス部材の側面が前記内側ポンチ部の側面及び前記外側ポンチ部の内側側面と当接した状態で前記ダイス部材と前記ポンチ部材とが嵌合することを特徴とする、
ものである。
【０００９】
この穿孔機械器具によれば、ポンチ部材とダイス部材との間に被加工物を配置して、ポンチ部材とダイス部材とを近づけると、外側ポンチ部と内側ポンチ部の間の凹部にダイス部材の一部が挿入され、ダイス部材の側面が内側ポンチ部の側面及び外側ポンチ部の内側側面と当接した状態でポンチ部材とダイス部材が嵌合し、被加工物が剪断される。このとき、外側ポンチ部は内側ポンチ部よりも低く形成されているため、ポンチ部材とダイス部材とが嵌合する際には、ダイス部材と内側ポンチ部とが当接した後に、ダイス部材と外側ポンチ部とが当接することになる。こうすることにより、ポンチ部材とダイス部材とを互いに近づけることで、まず、内側ポンチ部の頂面と同形の孔（以下、「内孔」ともいう。）を被加工物から剪断し、更にポンチ部材とダイス部材とを互いに近づけることで、ダイス部材の外径と同径の孔（以下、「外孔」ともいう。）を剪断することができる。言い換えると、ポンチ部材とダイス部材を近づけるという一連の動作で、ポンチ部材又はダイス部材を取り替えることなく、内孔と外孔の２種類の大きさの異なる孔を被加工物に加工することができる。
【００１０】
本発明の穿孔機械器具は、前記内側ポンチ部を前記ダイス部材の方向に付勢する付勢部材と、を備え、前記内側ポンチ部は、前記外側ポンチ部の頂面よりも前記ダイス部材に近い位置である第一押止位置と、前記外側ポンチ部の頂面よりも前記ダイス部材に遠い位置である第二押止位置とに摺動可能であり、前記内側ポンチ部は、前記付勢部材によって前記ダイス部材の方向に付勢された際、前記第一押止位置又は前記第二押止位置のいずれかの位置で前記外側ポンチ部と係止することを特徴としてもよい。こうすることにより、内側ポンチ部を第一押止位置に係止することで被加工物に内孔を、内側ポンチ部を第二押止位置に係止することで被加工物に外孔を、それぞれ加工することができる。言い換えると、内側ポンチ部の係止位置を変えることにより、ポンチ部材とダイス部材を近づけるという一連の動作で、ポンチ部材又はダイス部材を取り替えることなく、内孔と外孔の２種類の大きさの異なる孔を被加工物に加工することができる。
【００１１】
本発明の穿孔機械器具において、前記内側ポンチ部は、側面に前記外側ポンチ部の表面方向に突出するポンチ高さ調節片を有し、前記外側ポンチ部は、内側側面に前記ポンチ高さ調節片の一部が挿入され、前記ポンチ高さ調節片が前記ダイス部材に近づく方向及び遠ざかる方向に移動可能なポンチ高さ調整溝を有し、前記ポンチ高さ調整溝は、前記ポンチ高さ調節片を前記第一押止位置で係止する第一押止側面と、前記ポンチ高さ調節片を前記第二押止位置で係止する第二押止側面と、を有することを特徴としてもよい。こうすることにより、ポンチ高さ調節片がポンチ高さ調整溝に沿って移動することで、ポンチ部材とダイス部材とを容易に組み合わせることができ、内側ポンチ部が第一押止側面に係止することで内孔を、内側ポンチ部を第二押止側面に係止することで外孔を、それぞれ加工することができる。言い換えると、ポンチ高さ調節片の位置をポンチ高さ調整溝に沿って移動することで、内側ポンチ部の係止位置を容易に変更することができ、ポンチ部材とダイス部材を近づけるという一連の動作で、ポンチ部材又はダイス部材を取り替えることなく、内孔と外孔の２種類の大きさの異なる孔を被加工物に加工することができる。
【００１２】
一方、本発明の穿孔機械器具において、前記外側ポンチ部は、側面に前記内側ポンチ部の表面方向に突出するポンチ高さ調節片を有し、前記内側ポンチ部は、外側側面に前記ポンチ高さ調節片の一部が挿入され、前記ポンチ高さ調節片が前記ダイス部材に近づく方向及び遠ざかる方向に移動可能なポンチ高さ調整溝を有し、前記ポンチ高さ調整溝は、前記ポンチ高さ調節片を前記第一押止位置で係止する第一押止側面と、前記ポンチ高さ調節片を前記第二押止位置で係止する第二押止側面と、を有することを特徴としてもよい。こうすることにより、ポンチ高さ調節片がポンチ高さ調整溝に沿って移動することで、ポンチ部材とダイス部材とを容易に組み合わせることができ、内側ポンチ部が第一押止側面に係止することで内孔を、内側ポンチ部を第二押止側面に係止することで外孔を、それぞれ加工することができる。言い換えると、ポンチ高さ調節片の位置をポンチ高さ調整溝に沿って移動することで、内側ポンチ部の係止位置を容易に変更することができ、ポンチ部材とダイス部材を近づけるという一連の動作で、ポンチ部材又はダイス部材を取り替えることなく、内孔と外孔の２種類の大きさの異なる孔を被加工物に加工することができる。
【００１３】
これらの態様の本発明の穿孔機械器具において、前記ポンチ高さ調整溝は、前記ポンチ高さ調節片が頂面方向又は底面方向に移動可能な移動部と、前記移動部の両端部の側面にそれぞれ連通する第一押止部及び第二押止部と、を有し、前記第一押止側面は、前記第一押止部に位置し、前記第二押止側面は、前記第二押止部に位置することを特徴としてもよい。こうすることにより、第一押止部又は第二押止部にポンチ高さ調節片が位置する場合には、ポンチ高さ調節片が第一押止側面又は第二押止側面に付勢部材によって付勢されることになるため、ポンチ部材とダイス部材とを互いに近づける際、移動部に沿って移動する可能性を未然に低減することができる。言い換えると、移動部に沿ってポンチ高さ調節片がダイス部材に近づく方向又は遠ざかる方向に移動する可能性を未然に低減することで、内側ポンチ部材が意図せず移動する可能性を未然に低減し、内孔を加工する際の安全性を向上させることができる。
【００１４】
本発明の穿孔機械器具において、前記内側ポンチ部の頂面には、凹状に凹んだ頂面凹部を有し、前記頂面凹部には、ねじ穴を有するねじが設けられていることを特徴としてもよい。このように、頂面凹部を有することにより、内孔を加工する際、内側ポンチ部の頂面が徐々に被加工物と当接し、剪断することになるため、頂面が平坦面である場合と比較して、内孔を加工する際の労力を低減することができ、内孔を加工しやすい。加えて、ねじ穴にねじを当接させて回転することにより、容易に内側ポンチ部を回転させることができる。言い換えると、内側ポンチ部を回転さえることでポンチ高さ調節片がポンチ高さ調整溝の移動部を移動可能な状態にすることができるため、内側ポンチ部の位置を変更し、加工する孔を内孔から外孔（又は、外孔から内孔）に容易に変更することができる。付言すると、加工する孔を容易に変更することができるため、ポンチ部材とダイス部材を近づけるという一連の動作で、ポンチ部材又はダイス部材を取り替えることなく、内孔と外孔の２種類の大きさの異なる孔を被加工物に容易に加工することができる。
【００１５】
本発明の穿孔機械器具において、前記外側ポンチ部の頂面は、前記内側ポンチ部の方向に延出し、前記外側ポンチ部と前記内側ポンチ部との間隔は、前記ダイス部材側が前記ダイス部材の反対側よりも狭いことを特徴としてもよい。こうすることにより、外側ポンチ部の内側側面がダイス部材の外側側面と当接して外孔を加工する際、内側ポンチ部の側面とダイス部材の内側側面とで剪断された剪断片を容易に取り外すことができる。
【００１６】
本発明の穿孔機械器具において、前記外側ポンチ部の外側側面は、頂面側が刃先となる切刃として形成されており、前記外側ポンチ部の内側側面は、頂面側が刃先となる切刃として形成されており、前記内側ポンチ部の側面は、頂面側が刃先となる切刃として形成されていることを特徴としてもよい。こうすることにより、内孔又は外孔を加工する際、切刃でない場合と比較して、より容易に内孔又は外孔を加工することができる。
【００１７】
本発明の穿孔機械器具において、前記外側ポンチ部の外周は直径３２ｍｍ以上３４ｍｍ以下の略円形状であり、前記内側ポンチ部の外周は直径１８ｍｍ以上２０ｍｍ以下の略円形状であり、前記内側ポンチ部の頂面は、前記外側ポンチ部の頂面よりも１０ｍｍ以上高くなっていることを特徴としてもよい。こうすることにより、直径１８ｍｍ以上２０ｍｍ以下の略円形状の内孔及び直径３２ｍｍ以上３４ｍｍ以下の略円形状の外孔を被加工物に加工することができる。一般的な電気工事において求められる孔は、直径１８ｍｍから２０ｍｍの略円形状及び直径３２ｍｍから３４ｍｍの略円形状であるため、外側ポンチ部及び内側ポンチ部の直径を１８ｍｍから２０ｍｍ及び３２ｍｍから３４ｍｍとすることにより、二種類の穿孔機械器具を携帯したり、二種類のポンチ及びダイスを携帯してポンチ及びダイスの少なくとも一方を交換したりすることなく、一般的な電気工事において求められる二種類の孔をあけることができる。また、一般的な電気工事において穿孔作業が求められるリップ溝形鋼等の鋼板又はプラスチック板等の被加工物は１０ｍｍ未満の厚みを有するので、これを内側ポンチ部が打抜いたときに、外側ポンチ部が被加工物に干渉して、意図せずに剪断してしまう可能性を低減することができる。言い換えると、作業者は、内側ポンチ部が被加工物を打抜いたときに外側ポンチ部を被加工物に不用意に接触させて、傷つけてしまう可能性を低減することができる。
【００１８】
本発明の穿孔機械器具において、前記内側ポンチ部の頂面に複数の先端面を設けて、前記複数の先端面の縁に切刃を設けてもよい。こうすることにより、内側ポンチ部の複数の先端面が徐々に被加工物に接触するから、作業者が穿孔に要する力を分散及び軽減することができる。
【図面の簡単な説明】
【００１９】
【図１】図１は、第一実施形態にかかる穿孔機械器具１００の正面図である。
【図２】図２は、第一実施形態にかかるポンチ部材２０の斜視図、断面図及び平面図である。図２ａが斜視図、図２ｂが断面図、及び図２ｃが平面図を示す。
【図３】図３は、第一実施形態にかかるダイス部材３０の斜視図、断面図及び平面図である。図３ａが斜視図、図３ｂが断面図、及び図３ｃが平面図を示す。
【図４】図４は、第一実施形態にかかる穿孔機械器具１００の使用方法を説明するための図である。図４ａが穿孔作業前の状態、図４ｂが内孔をあけた状態、図４ｃが外孔をあけた状態、及び図４ｄが穿孔作業後の状態を示す。
【図５】図５は、第二実施形態にかかるポンチ部材２００の構成の概略を説明するための説明図であり、図５ａが斜視図、図５ｂが図５ａのＣ−Ｃ’断面図、図５ｃが平面図をそれぞれ示す。
【図６】図６は、第二実施形態にかかる外側ポンチ部２３の構成の概略を説明するための説明図であり、図６ａが外側ポンチ部２３の断面を内側から示した図、図６ｂから図６ｇが、ポンチ高さ調整溝２７０及びその変形例を示す説明図である。
【図７】図７は、第二の実施の形態における内側ポンチ部２１と外側ポンチ部２３との位置関係及びポンチ高さ調節片２６０とポンチ高さ調整溝２７０との位置関係並びにこれらの対応関係を示す説明図であり、図７ａがポンチ高さ調節片２６０が第一押止側面２７１に押止されている状態、図７ｂがポンチ高さ調節片２６０が垂直連接部２６４を移動している状態、図７ｃがポンチ高さ調節片２６０が第二押止側面２７２に押止されている状態をそれぞれ示す。
【図８】図８は、第二の実施の形態における穿孔機械器具１００の使用方法を説明するための図であり、図８ａが穿孔作業前の状態、図８ｂが外孔をあけた状態、図８ｃが穿孔作業後の状態をそれぞれ示す。
【発明を実施するための形態】
【００２０】
本発明にかかる穿孔機械器具１００の実施の形態について、図面を参照しつつ詳細に説明する。以下に説明する実施の形態及び図面は、本発明の実施の形態の一部を例示するものであり、これらの構成に限定する目的に使用されるものではなく、本発明の要旨を逸脱しない範囲において適宜変更することができる。なお、各図において対応する構成要素には同一又は類似の符号が付されている。また、説明の便宜上、図１に示すように、穿孔機械器具１００の略中央にある中央支点５１からポンチ部材２０及びダイス部材３０に向かう方向を前方と呼び、中央支点５１から把持部材６０ａ及び把持部材６０ｂに向かう方向を後方と呼ぶこととする。更に、説明の便宜上、ポンチ部材２０について、図２に示すように、内側ポンチ部２１及び外側ポンチ部２３のダイス部材３０側の面（図２中、上側の面）を頂面、ポンチ部材２０のダイス部材３０側と反対側の面（図２中、下方の面）を底面と呼ぶ。また、外側ポンチ部２３の一方底面の中央部に向かう方向を内側と呼び、外側ポンチ部２３の一方底面において外縁部に向かう方向を外側と呼ぶ（図２ａ中の矢印参照）こととする。
【００２１】
（第一実施形態）
本実施形態にかかる穿孔機械器具１００は、図１に示すように、ポンチ部材２０と、ダイス部材３０と、挟持部材４０ａ及び挟持部材４０ｂと、スプリング部４５と、支点部材５０と、把持部材６０ａ及び把持部材６０ｂとを主に備えている。この穿孔機械器具１００は、ポンチ部材２０とダイス部材３０との間にリップ溝形鋼等の溝形鋼を含む鋼板又はプラスチック板等の被加工物１（図４を参照。）を配置し、作業者が把持部材６０ａ及び把持部材６０ｂを把持することで、把持部材６０ａと把持部材６０ｂとを近づける。把持部材６０ａと把持部材６０ｂとが近づくに伴い、回動支点５２ａと回動支点５２ｂとが近づき、挟持部材４０ａと挟持部材４０ｂとが近づく。これに伴って、挟持部材４０ａに取り付けられたポンチ部材２０と挟持部材４０ｂに取り付けられたダイス部材３０とが近づき、ポンチ部材２０及びダイス部材３０が共に被加工物１に接触すると、ポンチ部材２０の内側ポンチ部２１とダイス部材３０の嵌合部３１との剪断作用によって被加工物１が剪断され、内孔があけられる。更に把持部材６０ａ及び把持部材６０ｂを近づけると、ポンチ部材２０の外側ポンチ部２３とダイス部材３０の嵌合部３１との剪断作用によって被加工物１が剪断され、外孔があけられる。こうすることにより、把持部材６０ａと把持部材６０ｂを把持するという一連の動作により、内孔又は外孔の二種類の孔をあけることができる。なお、ここで、図１は、本実施形態にかかる穿孔機械器具１００の正面図である。
【００２２】
ポンチ部材２０は、図２に示すように、柱状に形成され、外側側面の一方底面（頂面）の縁を刃先とする切刃２３ａが設けられている外側ポンチ部２３と、外側ポンチ部２３の当該一方底面から柱状に突出して形成され、先端面（頂面）の縁を刃先とする切刃２１ａが側面に設けられている内側ポンチ部２１と、内側ポンチ部２１と外側ポンチ部２３との間に位置し、当該一方底面であって内側ポンチ部２１の側面を囲う位置に枠状に凹設してなる凹部２２と、を有する。切刃２１ａは、内側ポンチ部２１の先端面（頂面）の縁から内側ポンチ部２１の側面に渡って設けられた凹凸の無い滑らかな面であり、内側ポンチ部２１と一体に形成されている。また、外側ポンチ部２３は、当該一方底面と凹部２２とがなす縁から内側に延出している。言い換えると、凹部２２の開放口において外側ポンチ部２３の内側側面が内側ポンチ部２１方向に延出し、凹部２２の開放口側の幅が凹部２２の底面側の幅よりも狭くなっている。こうすることにより、外側ポンチ部２３と嵌合部３１とで剪断する際、剪断された剪断片２ｃ（図４ｄを参照。）を容易に取り外すことができる。なお、ここで図２は、ポンチ部材２０の斜視図、断面図及び平面図であり、図２ａが斜視図、図２ｂが図２ａのＡ−Ａ’断面を示す断面図、図２ｃが平面図をそれぞれ示している。
【００２３】
また、内側ポンチ部２１の先端面（頂面）は、先端面全体が凹状に窪んだ形状に形成されている。こうすることにより、切刃２１ａが被加工物１を剪断するときに徐々に被加工物１に接触することになるため、平面形状である場合と比較して、剪断する際の労力を低減することができる。
【００２４】
更に、切刃２３ａは、外側ポンチ部２３の当該一方底面の外側の縁から外側ポンチ部２３の外側側面に渡って設けられた凹凸の無い滑らかな面であり、外側ポンチ部２３と一体に形成されている。更に、切刃２３ｂは、外側ポンチ部２３の当該一方底面の内側の縁から外側ポンチ部２３の内側側面に渡って設けられた凹凸の無い滑らかな面であり、外側ポンチ部２３と一体に形成されている。こうすることにより、被加工物１を剪断する際、切刃２３ａ又は切刃２３ｂを有しない場合と比較して、より少ない労力で被加工物１を剪断できるため、孔をあけやすい。
【００２５】
このとき、内側ポンチ部２１の外周は直径１９ｍｍの略円形状に、外側ポンチ部２３の外周は直径３３ｍｍの略円形状に形成されている。また、内側ポンチ部２１の先端面は、外側ポンチ部２３の当該一方の底面よりも１０ｍｍ高く形成されている。こうすることにより、一般的な電気工事において使用される被加工物に一般的な電気工事において求められる孔を容易にあけることができる。
【００２６】
ダイス部材３０は、図３に示すように、略円柱形状の部材であって、平滑な面からなるダイス面３２を有する略円柱形状の部材から、ダイス面３２に対して垂直に陥没してなり、内側ポンチ部２１と嵌合する柱状に凹設してなる嵌合部３１を有する。嵌合部３１は、全体として略円柱の内側領域をくり抜いた形状を有しており、外側ポンチ部２３の内側側面と当接する形状に形成されている。こうすることにより、外側ポンチ部２３の内側側面とダイス部材３０の外側側面とで被加工物１を剪断し、孔をあけることができる。また、嵌合部３１は貫通孔３３であるため、内側ポンチ部２１が被加工物１に孔をあけた際に発生する剪断片２ａ（図４ｂを参照。）を容易に取り出すことができる。また、ダイス部材３０の内側側面及び外側側面は平坦面として形成されている。こうすることにより、内側ポンチ部２１の外側側面とダイス部材３０の内側側面、外側ポンチ部２３の内側側面とダイス部材３０の外側側面とで被加工物を剪断しやすい。なお、ここで図３は、ダイス部材３０の斜視図、断面図及び平面図であり、図３ａが斜視図、図３ｂが図３ａのＢ−Ｂ’断面を示す断面図、図３ｃが平面図を、それぞれ示す。
【００２７】
挟持部材４０ａ及び挟持部材４０ｂは、図１に示すように、２つの長尺の略直方体状の部材が略平行に配置されてなり、挟持部材４０ａ及び挟持部材４０ｂの前方の端部には、ポンチ部材２０及びダイス部材３０がそれぞれ対向する位置に取り付けられる。また、挟持部材４０ａ及び挟持部材４０ｂの中央部の側面には、支点部材５０と回動可能に支持されてなる回動支点５２ａ及び回動支点５２ｂが設けられ、挟持部材４０ａ及び挟持部材４０ｂの後方の側面には、摺動支点５３ａ及び摺動支点５３ｂが設けられる。更に、摺動支点５３ａ及び摺動支点５３ｂは、挟持部材４０ａ及び挟持部材４０ｂの長尺方向に摺動可能に支持されてなる。
【００２８】
スプリング部４５は、図１に示すように、挟持部材４０ａと挟持部材４０ｂとの間に設けられた金属製のばねであり、挟持部材４０ａと挟持部材４０ｂとが互いに離れる方向に付勢する。こうすることにより、把持部材６０ａと把持部材６０ｂを把持して孔をあけ、他の被加工物１を加工する際、把持部材６０ａと把持部材６０ｂとを離す作業を省略することができるため、作業時の労力を低減することができる。
【００２９】
支点部材５０は、図１に示すように、把持部材６０ａ及び把持部材６０ｂと一体形成されており、２つの長尺の板状の部材が中央支点５１で回動可能に支持される。こうすることにより、十分な強度及び耐久性を得ることができる。なお、支点部材５０は、穿孔機械器具１００の正面側及び背面側にそれぞれ設けられているが、背面側に設けられているものについては、正面側に設けられているものと同様であるため、ここでは説明を省略する。
【００３０】
把持部材６０ａ及び把持部材６０ｂは、図１に示すように、人間の手の平の形状に沿った長尺状の部材である。こうすることにより、使用する際に片手で把持しやすい。
【００３１】
ここで、ポンチ部材２０及びダイス部材３０は、炭素鋼、ステンレス鋼、合金工具鋼又は炭素工具鋼等の工具鋼を用いて作製することが好ましいが、これに限定されるものではない。また、ポンチ部材２０及びダイス部材３０は、それぞれ、同一の素材を用いて一体成形により作製することが好ましい。こうすることにより、十分な強度と耐久性を得ることができる。
【００３２】
また、挟持部材４０ａ及び挟持部材４０ｂ、支点部材５０、把持部材６０ａ及び把持部材６０ｂは、炭素鋼、ステンレス鋼、合金工具鋼又は炭素工具鋼等の金属を用いて作製することが好ましいが、これに限定されるものではない。
【００３３】
更に、挟持部材４０ａ及び挟持部材４０ｂは、ポンチ部材２０及びダイス部材３０と同一の素材を用いて一体成形によって作製してもよいが、これに限定されるものではなく、異なる素材で別体に作製して接合してもよい。
【００３４】
こうして作製された穿孔機械器具１００の使用方法を、図４を参照しつつ説明する。図４は、本実施形態にかかる穿孔機械器具１００の使用方法を説明するための図で、図２ａのポンチ部材２０のＡ−Ａ’断面、図３ａのダイス部材３０のＢ−Ｂ’断面及びポンチ部材２０とダイス部材３０との間に配置された被加工物１の断面を表している。まず、図４ａに示すように、リップ溝形鋼等の被加工物１をポンチ部材２０とダイス部材３０との間に配置する。次に、把持部材６０ａ及び把持部材６０ｂを把持すると、把持部材６０ａ及び把持部材６０ｂが互いに近づくに伴って、回動支点５２ａ及び回動支点５２ｂが互いに近づき、挟持部材４０ａ及び挟持部材４０ｂが互いに近づく。こうすることにより、挟持部材４０ａに取り付けられたポンチ部材２０及び挟持部材４０ｂに取り付けられたダイス部材３０も、互いに近づき、ポンチ部材２０及びダイス部材３０が共に被加工物１に当接すると、図４ｂに示すように、内側ポンチ部２１の切刃２１ａとダイス部材３０の頂面であるダイス面３２との剪断作用により、被加工物１に内孔が打抜かれる。
【００３５】
被加工物１に内孔をあけることが目的である場合、作業者は、把持部材６０ａ及び把持部材６０ｂの把持を終了する。このとき、挟持部材４０ａと挟持部材４０ｂとの間にはスプリング部４５が設けられているため、スプリング部４５の付勢力により、挟持部材４０ａと挟持部材４０ｂとが離れると共に、ポンチ部材２０及びダイス部材３０が離れ、把持する前の状態に戻る（図４ｄ参照）。このとき、被加工物１から打抜かれた剪断片２ａは、嵌合部３１の貫通孔３３を通じて回収される。このように、把持部材６０ａ及び把持部材６０ｂを把持することで、簡単に内孔をあけることができる。
【００３６】
一方、図４ｂに示すように、被加工物１に内孔が打抜かれた後、作業者が把持部材６０ａ及び把持部材６０ｂを更に強く把持すると、把持部材６０ａ及び把持部材６０ｂが更に近づき、同時に挟持部材４０ａ及び挟持部材４０ｂも更に近づくことで、挟持部材４０ａに取り付けられたポンチ部材２０の外側ポンチ部２３が被加工物１に当接すると、図４ｃに示すように、外側ポンチ部２３の切刃２３ａ及び切刃２３ｂとダイス面３２との剪断作用により、被加工物１に外孔が打抜かれる。このとき、剪断片２ｂ及び剪断片２ｃがそれぞれ打抜かれ、外側の剪断片２ｂは外側ポンチ部２３に押し出される。このように、把持部材６０ａ及び把持部材６０ｂを把持することで、内孔とは異なる形状の外孔を簡単にあけることができる。
【００３７】
その後、作業者は、把持部材６０ａ及び把持部材６０ｂの把持を終了する。このとき、挟持部材４０ａと挟持部材４０ｂとの間にはスプリング部４５が設けられているため、スプリング部４５の付勢力により、挟持部材４０ａと挟持部材４０ｂとが離れると共に、ポンチ部材２０及びダイス部材３０が離れ、把持する前の状態に戻る（図４ｄ参照）。このとき、被加工物１から打抜かれた剪断片２ｃは、凹部２２から回収される。このように、把持部材６０ａ及び把持部材６０ｂを把持することで、内孔とは異なる形状の外孔を簡単にあけることができる。付言すると、内孔と外孔の二種類の形状の孔を、同様の操作で簡単にあけることができる。
【００３８】
被加工物１から打抜かれた二種類の剪断片２ｂ及び剪断片２ｃのうち剪断片２ｃは、外側ポンチ部２３がダイス部材３０の嵌合部３１と当接している間は凹部２２に留まっている。この剪断片２ｃは、外側ポンチ部２３が嵌合部３１から離間した後に、凹部２２の開放口を通じて凹部２２から取り出され、回収される。このとき、凹部２２の開放口側が内側ポンチ部２１の方向に延出しているため、凹部２２の幅よりも剪断された剪断片２ｃの幅は狭くなる。このため、凹部２２に留まる剪断片２ｃを取り出す際、凹部２２の幅と剪断片２ｃの幅とが同一の場合と比較して、取り出しやすい。言い換えると、凹部２２の開放口側を内側ポンチ部２１の方向に延出させることで、剪断片２ｃを容易に取り出すことができる。
【００３９】
本実施形態によれば、穿孔機械器具１００のポンチ部材２０又はダイス部材３０の少なくとも一方を交換することなく、一般的な電気工事において穿孔が求められる直径約１９ｍｍの略円形の内孔と直径約３３ｍｍの略円形の外孔のいずれの大きさの孔を被加工物１にあけることができる。
【００４０】
（第二実施形態）
以下、本発明にかかる穿孔機械器具１００の第二の実施の形態について図５から図８を用いて詳しく説明する。ここで、第二の実施の形態における穿孔機械器具１００は、内側ポンチ部２１が付勢部２５０によってダイス部材３０の方向に付勢されており、かつ、内側ポンチ部２１がダイス部材３０と近づく方向又は遠ざかる方向に摺動可能であること、言い換えると、ポンチ部材２００の構成以外については、第一の実施の形態の穿孔機械器具１００と同様の構成を有する。このため、以下では、ポンチ部材２００の構成について詳説し、同様の部材については、第一の実施の形態と同様の符号を付し、ここでは説明を省略する。ここで、図５は、第二実施形態にかかるポンチ部材２００の構成の概略を説明するための説明図であり、図５ａが斜視図、図５ｂが図５ａのＣ−Ｃ’断面図、図５ｃが平面図をそれぞれ示す。また、図６は、第二実施形態にかかる外側ポンチ部２３の構成の概略を説明するための説明図であり、図６ａが外側ポンチ部２３の断面図（図５ａ中のＣ−Ｃ’断面から内側ポンチ部２１を除いた図）、図６ｂから図６ｇが、ポンチ高さ調整溝２７０及びその変形例を示す説明図である。更に、図７は、第二実施形態にかかる内側ポンチ部２１と外側ポンチ部２３との位置関係及びポンチ高さ調節片２６０とポンチ高さ調整溝２７０との位置関係並びにこれらの対応関係を示す説明図であり、図７ａがポンチ高さ調節片２６０が第一押止側面２７１に押止されている状態、図７ｂがポンチ高さ調節片２６０が垂直連接部２６４を移動している状態、図７ｃがポンチ高さ調節片２６０が第二押止側面２７２に押止されている状態をそれぞれ示す。更にまた、図８は、第二実施形態にかかる穿孔機械器具１００の使用方法を説明するための図であり、図８ａが穿孔作業前の状態、図８ｂが外孔をあけた状態、図８ｃが穿孔作業後の状態をそれぞれ示す。
【００４１】
第二の実施の形態にかかるポンチ部材２００は、図５に示すように、図示しない挟持部材４０ａの先端面に柱状に形成された内側ポンチ部２１と、内側ポンチ部２１を囲う位置であって、内側ポンチ部２１よりも低い筒状に形成された外側ポンチ部２３と、を備え、内側ポンチ部２１と外側ポンチ部２３とは、外側ポンチ部２３の一方底面側から内側ポンチ部２１の方向に延出する一方底面部２０１によって内側ポンチ部２１が摺動可能に設けられている。このとき、内側ポンチ部２１と外側ポンチ部２３と一方底面部２０１によって囲まれた凹部２２には、ダイス部材３０の一部が挿入可能であり、ダイス部材３０の一部が凹部２２に挿入されることにより、内側ポンチ部２１の側面とダイス部材３０の内側側面、外側ポンチ部２３の内側側面とダイス部材３０の外側側面とで、それぞれ内孔及び外孔は剪断される。また、内側ポンチ部２１と外側ポンチ部２３との間には、ダイス部材３０の一部が挿入可能な凹部２２を有する。なお、内側ポンチ部２１の先端面（頂面）の縁を刃先とする切刃２１ａ、外側ポンチ部２３の先端面（頂面）の外側側面の縁を刃先とする切刃２３ａ及び内側側面の縁を刃先とする切刃２３ｂを有する点は、外側ポンチ部２３の先端面（頂面）の内側側面が内側ポンチ部２１方向に延出している点（凹部２２の開放口において外側ポンチ部２３の内側側面が内側ポンチ部２１方向に延出し、凹部２２の開放口側の幅が凹部２２の底面側の幅よりも狭くなっている点）については、第一の実施の形態と同様である。
【００４２】
また、内側ポンチ部２１は、挟持部材４０ａの先端面に金属製のばねからなる付勢部２５０を介して取り付けられており、ダイス部材３０の方向に付勢され、ダイス部材３０に近づく方向及び遠ざかる方向に揺動可能に取り付けられている。具体的には、内側ポンチ部２１の側面には、側面から外側方向に凸状に同一の高さで延出した３つのポンチ高さ調節片２６０が設けられており、外側ポンチ部２３の一方底面からの最短距離が等しく、かつ略均等な間隔を有して設けられている。また、外側ポンチ部２３の内側側面には、内側側面の表面に凹状に形成されたポンチ高さ調整溝２７０が、ポンチ高さ調節片２６０と対応する位置にそれぞれ設けられている。ポンチ高さ調整溝２７０は、図６ａに示すように、内側ポンチ部２１が付勢部２５０によって付勢された際に、外側ポンチ部２３の頂面よりもダイス部材３０に近い位置である第一押止位置で押止する第一押止側面２７１と、外側ポンチ部２３の頂面よりもダイス部材３０から遠い位置である第二押止位置で押止する第二押止側面２７２と、が設けられており、第一押止側面２７１と第二押止側面２７２とは、互いに連接部２６２で連接されている。具体的には、連接部２６２は、垂直連接部２６４の両端側に水平連接部２６６ａ及び水平連接部２６６ｂ（以下、「水平連接部２６６」とも言う。）が互いに直交する方向に連接することで、全体が略コの字形状を構成し、それぞれの水平連接部２６６の両端側（垂直連接部２６４と連接する端部とは反対側の端部）に、第一押止側面２７１及び第二押止側面２７２が外側ポンチ部２３の頂面方向に凹んだ凹部状であって、幅がポンチ高さ調節片２６０の幅と略同一又はポンチ高さ調節片２６０が埋没可能な幅で形成される。こうすることにより、ポンチ高さ調節片２６０が第一押止位置に位置する際には、第一押止側面２７１に付勢部２５０によって押止され、第二押止位置に位置する際には、第二押止側面２７２に付勢部２５０によって押止される。こうすることにより、ポンチ高さ調節片２６０が第一押止位置又は第二押止位置に押止することができる。このとき、第一押止側面２７１及び第二押止側面２７２の幅がポンチ高さ調節片２６０の幅と略同一の幅で形成されるため、第一押止側面２７１又は第二押止側面２７２に押止された際、ポンチ高さ調節片２６０が移動する可能性を未然に低減することができる。言い換えると、意図しない力が内側ポンチ部２１に加わって内側ポンチ部２１が付勢される方向とは垂直に回転することを未然に防止することができる。
【００４３】
なお、ポンチ高さ調整溝２７０の形状は、内側ポンチ部２１を第一押止位置及び第二押止位置に押止できるものであればこのような形状に限定されるものではなく、種々の形状を採用することができ、以下のいずれの態様であっても、同様の効果を得ることができる。例えば、図６ｂに示すように、第一押止側面２７１が垂直連接部２６４の一端側に位置し、垂直連接部２６４の他端側に直交して連接する水平連接部２６６の端部（垂直連接部２６４と連接する側とは反対側の端部）に第二押止側面２７２が設けられていても良い。また、図６ｃに示すように、第一押止側面２７１及び第二押止側面２７２が、水平連接部２６６の側面を形成し、水平連接部２６６の端部に凹部を有しなくとも良い。更に、図６ｄに示すように、水平連接部２６６ａと水平連接部２６６ｂとが、垂直連接部２６４を挟んで互いに遠ざかる方向に設けられていても良い。更にまた、図６ｅに示すように、垂直連接部２６４及び水平連接部２６６に代えて、階段状に形成され、階段状に形成された一方を第一押止側面２７１、他方を第二押止側面２７２としても良い。そして、図６ｆに示すように、略Ｊの字形状に設けられたポンチ高さ調整溝２７０の一方側を第一押止側面２７１、他方側を第二押止側面２７２としてもよい。そしてまた、図６ｇに示すように、第一押止側面２７１の反対側に凹状に凹む第三押止側面２７３を設けてもよい。この場合には、こうすることにより、付勢方向とは反対方向の力が意図せず加えられた場合であっても、ポンチ高さ調節片２６０が第三押止側面２７３に位置決めされるため、意図せず移動する可能性を未然に低減することができる。
【００４４】
加えて、内側ポンチ部２１の頂面（ダイス部材３０側の面）は、中心部が凹状に凹んだ形状に形成されており、中心部には、ネジの頭にプラス形状又はマイナス形状の溝２４１を有するネジ２４０が、ネジの頭の頂面の位置が内側ポンチ部２１の頂面の位置よりも低くなる位置に設けられている。このように、内側ポンチ部２１の頂面を凹状に形成することにより、切刃２１ａが被加工物１を剪断するときに徐々に被加工物１に接触することになるため、平面形状である場合と比較して、剪断する際の労力を低減することができる。加えて、ネジ２４０が設けられていることにより、後述する内側ポンチ部２１の位置を調節するために内側ポンチ部２１を回転させる際、ドライバー工具等を用いて容易に回転することができる。付言すると、ポンチ高さ調節片２６０をポンチ高さ調整溝２７０の形状に沿って上下左右に容易に移動させることができる。
【００４５】
次に、第二の実施の形態における穿孔機械器具１００の使用方法を、図７及び図８を用いて詳しく説明する。ここで、図７は、第二の実施の形態にかかる内側ポンチ部２１と外側ポンチ部２３との位置関係及びポンチ高さ調節片２６０とポンチ高さ調整溝２７０との位置関係並びにこれらの対応関係を示す説明図であり、図７ａは、ポンチ高さ調節片２６０が第一押止側面２７１に押止されている状態、図７ｂは、ポンチ高さ調節片２６０が第一押止側面２７１から第二押止側面２７２に向かって移動している状態、図７ｃは、ポンチ高さ調節片２６０が第二押止側面２７２に押止されている状態をそれぞれ示す。また、図７ａ’、図７ｂ’、図７ｃ’は、それぞれの状態におけるポンチ高さ調節片２６０の位置を説明するための模式図である。また、図８は、第二実施形態にかかる穿孔機械器具１００の使用方法を説明するための図であり、図８ａが穿孔作業前の状態、図８ｂが外孔をあけた状態、図８ｃが穿孔作業後の状態をそれぞれ示す。
【００４６】
まず、穿孔機械器具１００は、内孔を加工する際は、図７ａに示すように、内側ポンチ部２１を第一押止位置に位置する状態で使用し、外穴を加工する際は、図７ｃに示すように、内側ポンチ部２１を第二押止位置に位置する状態で使用する。このように、内側ポンチ部２１を第一押止位置又は第二押止位置に押止することで、内孔を加工する際と外孔を加工する際とで異なる場所で剪断されることになるため、内側ポンチ部２１の位置を変更するという簡単な操作で、内孔と外孔の２種類の孔を加工することができる。また、第一の実施の形態では、外孔をあける際には、内孔も同時にあけられることになったが、第二の実施の形態では、外孔のみがあけられることになるため、内孔をあける際に使用される切刃２１ａの消耗を低減することができる。
【００４７】
具体的には、穿孔機械器具１００を用いて被加工物３に内孔をあける際は、図７ａに示すように、内側ポンチ部２１が第一押止位置、すなわち、内側ポンチ部２１の頂面の位置が、外側ポンチ部２３の頂面の位置よりも１０ｍｍ突出した位置で被加工物３を加工する。このとき、ポンチ高さ調節片２６０とポンチ高さ調整溝２７０との位置関係は、図７ａ’に示すようにポンチ高さ調節片２６０が第一押止側面２７１に当接して、付勢部２５０によって付勢された状態となっている。次に、穿孔機械器具１００を用いて被加工物３に外孔をあけるときは、内側ポンチ部２１の頂面に設けられた溝２４１にドライバー等の工具の先端部を差し込んで係合させ、内側ポンチ部２１を付勢部２５０の方向に押し込んだ状態で、ネジ２４０を回転させる。こうすることにより、ネジ２４０の回転に伴って、ポンチ高さ調節片２６０が水平連接部２６６ａに沿って垂直連接部２６４の方向に移動する。
【００４８】
更にネジ２４０を回転させ、ポンチ高さ調節片２６０が垂直連接部２６４まで到達してネジ２４０が回転しない状態となった後に、更にネジ２４０を付勢部２５０の方向に押し込む（図７ｂ及び図７ｂ’参照）。こうすることで、ポンチ高さ調節片２６０が垂直連接部２６４に沿って移動し、水平連接部２６６ｂに到達する。続いて、ネジ２４０を逆方向に回転させ、ポンチ高さ調節片２６０が水平連接部２６６ｂの端部まで到達した後に、ネジ２４０を開放する。こうすることで、付勢部２５０によってポンチ高さ調節片２６０が第二押止側面２７２に付勢されることになり、内側ポンチ部２１が第二押止位置に押止される（図７ｃ及び図７ｃ’参照）。こうすることにより、内側ポンチ部２１を第一押止位置から第二押止位置に変更することができ、内孔と外孔との二種類の孔を容易に加工することができる。なお、内側ポンチ部２１を第二押止位置から第一押止位置に変更する際の動作は、第一押止位置から第二押止位置に変更する際の動作を逆順にしたものであるため、ここでは説明を省略する。
【００４９】
次に、第二の実施の形態の穿孔機械器具１００を用いた穿孔作業について説明する。第二の実施の形態の穿孔機械器具１００を用いて外孔を加工する際は、図７ｃに示すように、上述した方法で内側ポンチ部２１を第二押止位置に押止した状態で、図８ａに示すように、被加工物３をポンチ部材２００とダイス部材３０との間に配置する。次に、把持部材６０ａ及び把持部材６０ｂを把持すると、把持部材６０ａ及び把持部材６０ｂが互いに近づくに伴って、回動支点５２ａ及び回動支点５２ｂが互いに近づき、挟持部材４０ａ及び挟持部材４０ｂが互いに近づく。こうすることにより、挟持部材４０ａに取り付けられたポンチ部材２００及び挟持部材４０ｂに取り付けられたダイス部材３０が互いに近づき、ポンチ部材２００及びダイス部材３０が共に被加工物３に当接すると、図８ｂに示すように、内側ポンチ部２１の切刃２３ｂとダイス面３２との剪断作用により、被加工物３に外孔が打抜かれ、剪断片４ａが発生する。なお、このとき、内側ポンチ部２１の頂面は、外側ポンチ部２３の頂面よりも付勢部２５０側に位置するため、内側ポンチ部２１の頂面と被加工物３の表面とは当接しない。このため、外孔を加工する際には、内側ポンチ部２１に設けられた切刃２１ａが摩耗しない。
【００５０】
続いて、把持部材６０ａ及び把持部材６０ｂの把持を終了すると、挟持部材４０ａと挟持部材４０ｂとの間にはスプリング部４５が設けられているため、スプリング部４５の付勢力により、挟持部材４０ａと挟持部材４０ｂとが離れると共に、ポンチ部材２０及びダイス部材３０が離れ、把持する前の状態に戻る（図８ｃ参照）。このとき、被加工物３から打抜かれた剪断片４ｂは、ポンチ部材２００とダイス部材３０との間から回収される。また、凹部２２の開放口側が内側ポンチ部２１の方向に延出しているため、凹部２２の幅よりも剪断された剪断片４ｂの幅は狭くなる。このため、凹部２２に留まる剪断片４ｂを取り出す際、凹部２２の幅と剪断片４ｂの幅とが同一の場合と比較して、取り出しやすい。言い換えると、凹部２２の開放口側を内側ポンチ部２１の方向に延出させることで、剪断片４ｂを容易に取り出すことができる。
【００５１】
なお、内孔を加工する際の動きは、第一の実施の形態における穿孔機械器具１００の場合と同様であるため、ここでは説明を省略する。
【００５２】
第二の実施の形態によれば、穿孔機械器具１００のポンチ部材２００又はダイス部材３０の少なくとも一方を交換することなく、一般的な電気工事において穿孔が求められる直径約１９ｍｍの略円形の内孔と直径約３３ｍｍの略円形の外孔のいずれの大きさの孔を被加工物３にあけることができる。加えて、被加工物３に外孔をあける前に、内側ポンチ部２１が被加工物３に当接することがないため、切刃２１ａが摩耗しない。
【００５３】
なお、本発明は上述した実施形態に何ら限定されることはなく、本発明の技術的範囲に属する限り種々の態様で実施し得る。
【００５４】
例えば、上述した実施形態では、作業者が把持部材６０ａ及び把持部材６０ｂを把持することにより、ポンチ部材２０とダイス部材３０とを近づけて被加工物１に内孔及び外孔をあける穿孔機械器具１００としたが、ポンチ部材２０とダイス部材３０とを近づける方法は作業者が把持部材６０ａ及び把持部材６０ｂを把持することに限定されず、種々の方法を採用することができる。例えば、図示しない起動スイッチ、油圧作動部及び電源部等を設けて、油圧によりポンチ部材２０とダイス部材３０とを近づけて被加工物１又は被加工物３に内孔及び外孔をあけてもよい。この場合であっても、内側ポンチ部２１が内孔及び外側ポンチ部２３が外孔を被加工物１又は被加工物３にあけることができる。
【００５５】
上述した実施形態では、内側ポンチ部２１、外側ポンチ部２３及びダイス部材３０の形状は略円柱形状であるものとしたが、外側ポンチ部２３とダイス部材３０の内側側面とが当接可能な形状であれば、他の形状、例えば、楕円柱又は四角柱、三角柱その他の多角柱であってもよい。いずれの場合であっても、内側ポンチ部２１が内孔を、外側ポンチ部２３が外孔を、それぞれ被加工物１又は被加工物３にあけることができる。
【００５６】
上述した実施形態では、外側ポンチ部２３の内側側面は、凹部２２の開放口において内側ポンチ部２１方向に延出し、凹部２２の開放口側の幅が凹部２２の底面側の幅よりも狭くなっているものとしたが、延出していなくてもよい。この場合であっても、内側ポンチ部２１が内孔及び外側ポンチ部２３が外孔を被加工物１又は被加工物３にあけることができる。
【００５７】
上述した実施形態では、内側ポンチ部２１の先端面は直径１９ｍｍの略円形状であり、外側ポンチ部２３の外周は直径３３ｍｍの略円形状であるものとしたが、嵌合部３１が外側ポンチ部２３の内側側面と当接し、内側ポンチ部２１と嵌合する限り、内側ポンチ部２１の先端面及び外側ポンチ部２３の底面は所望の形状及び大きさとすることができる。この場合であっても、内側ポンチ部２１が内孔を、外側ポンチ部２３が外孔を、それぞれ被加工物１又は被加工物３にあけることができる。
【００５８】
上述した実施形態では、内側ポンチ部２１の先端面は外側ポンチ部２３の一方の底面より１０ｍｍ高くなっているものとしたが、これに限定されることなく、種々の高さにすることができる。この場合であっても、内側ポンチ部２１が内孔を、外側ポンチ部２３が外孔を、それぞれ被加工物１又は被加工物３にあけることができる。
【００５９】
上述した実施形態では、ダイス部材３０は筒状の部材であるものとしたが、ポンチ部材２０又はポンチ部材２００と少なくとも一部が嵌合できる形状であればこの形状に限定されるものではなく、種々の形状を採用することができる。例えば、柱状の部材の中央部に貫通孔を有する形状にしたり、貫通孔に代えて、凹状に凹んだ形状の凹部を有していても良い。この場合であっても、内側ポンチ部２１が内孔を、外側ポンチ部２３が外孔を、それぞれ被加工物１又は被加工物３にあけることができる。
【００６０】
例えば、上述した実施形態では、内側ポンチ部２１の頂面は先端面全体が凹状に窪んだ形状に形成されるものとしたが、平坦面で形成しても良いし、他の形状で形成しても良い。また、内側ポンチ部２１の先端が複数の先端面を有するように形成して、各先端面の縁に切刃を設けてもよい。いずれの場合であっても、内側ポンチ部２１が内孔を、外側ポンチ部２３が外孔を、それぞれ被加工物１又は被加工物３にあけることができる。
【００６１】
このとき、内側ポンチ部２１の頂面に、ネジ２４０はなくてもよい。この場合であっても、上述した実施の形態と同様の効果が得られる。
【００６２】
上述した実施形態では、スプリング部４５を設けるものとしたが、スプリング部４５は無くてもよい。この場合であっても、内側ポンチ部２１が内孔を、外側ポンチ部２３が外孔を、それぞれ被加工物１又は被加工物３にあけることができる。
【００６３】
第二実施形態では、付勢部２５０は金属製のばねからなるものとしたが、付勢力を有する種々の弾性体を採用することができる。
【００６４】
第二の実施の形態におけるポンチ高さ調整溝２７０の形状は、第一の実施の形態の場合と同様、図６ｂから図６ｇで示すいずれの形状を採用しても良い。この場合であっても、内側ポンチ部２１が内孔を、外側ポンチ部２３が外孔を、それぞれ被加工物３に加工することができる。
【産業上の利用可能性】
【００６５】
上述した実施形態で示すように、穿孔機械器具、特に、電気工事等の穿孔作業に用いる携帯式工具として利用することができる。
【符号の説明】
【００６６】
１…被加工物、２ａ…剪断片、２ｂ…剪断片、２ｃ…剪断片、３…被加工物、４ａ…剪断片、４ｂ…剪断片、２０…ポンチ部材、２１…内側ポンチ部、２１ａ…切刃、２２…凹部、２３…外側ポンチ部、２３ａ…切刃、２３ｂ…切刃、３０…ダイス部材、３１…嵌合部、３２…ダイス面、３３…貫通孔、４０ａ…挟持部材、４０ｂ…挟持部材、４５…スプリング部、５０…支点部材、５１…中央支点、５２ａ…回動支点、５２ｂ…回動支点、５３ａ…摺動支点、５３ｂ…摺動支点、６０ａ…把持部材、６０ｂ…把持部材、１００…穿孔機械器具、２００…ポンチ部材、２０１…一方底面部、２４０…ネジ、２４１…溝、２５０…付勢部、２６０…ポンチ高さ調節片、２６２…連接部、２６４…垂直連接部、２６６…水平連接部、２６６ａ…水平連接部、２６６ｂ…水平連接部、２７０…ポンチ高さ調整溝、２７１…第一押止側面、２７２…第二押止側面、２７３…第三押止側面。
【図１】
2020097051.tif 000003
【図２】
2020097051.tif 000004
【図３】
2020097051.tif 000005
【図４】
2020097051.tif 000006
【図５】
2020097051.tif 000007
【図６】
2020097051.tif 000008
【図７】
2020097051.tif 000009
【図８】
2020097051.tif 000010